(57)【要約】【課題】パネル固定部材を筐体本体部に容易に組み付けることができるコンロを提供する。【解決手段】コンロの筐体２は、筐体本体部２０とパネル固定部材４０を備える。パネル固定部材４０には、右パネルユニットと左パネルユニットが固定される。パネル固定部材４０の右板部４２と左板部４３は、前側固定部５１、６１と舌片部５３、６３を備える。前側固定部５１、６１には、右パネルユニットと左パネルユニットが固定される。舌片部５３、６３は後方に向けて突出する。筐体本体部２０の右壁部２１と左壁部２２には、前後方向に貫通するスリット２２５が夫々設けられる。作業者は、パネル固定部材４０の舌片部５３、６３を、右壁部２１のスリットと、左壁部２２のスリット２２５とに対して前方から差し込むだけで、パネル固定部材４０を筐体本体部２０に容易に組み付けできる。【選択図】図４
2020085369.tif 000002
【特許請求の範囲】
【請求項１】
筐体の前面にパネル部が固定されるコンロにおいて、
前記筐体は、
底壁部と、前記底壁部の左右両端部に立設された左壁部及び右壁部とを備える筐体本体部と、
前記筐体本体部に固定され、前記パネル部を固定する為のパネル固定部材と
を備え、
前記パネル固定部材は、
前記底壁部の上面に配置される底板部と、
前記底板部の左右両端部に立設され、前記パネル部を固定する為の第一固定穴を前記前面に向けて支持する固定部と、後方に向けて突出する舌片部とを備える左板部及び右板部と
を備え、
前記筐体本体部の前記左壁部及び前記右壁部には、前記舌片部が前方から後方に向けて差し込み可能な第一スリットが設けられたこと
を特徴とするコンロ。
【請求項２】
前記筐体本体部の前記左壁部及び前記右壁部には、内側に向けて凹む絞り部が形成され、
前記第一スリットは、前記絞り部の前側部に形成されたこと
を特徴とする請求項１に記載のコンロ。
【請求項３】
前記舌片部には、前記舌片部が前記第一スリットに差し込まれたときに、前記第一スリットの縁部に係止する係止部が設けられたこと
を特徴とする請求項１又は２に記載のコンロ。
【請求項４】
前記筐体は、前記前面側で、且つ前記左壁部及び前記右壁部よりも内側寄りに配置され、前記パネル部を固定する為の固定柱を更に備え、
前記パネル固定部材の前記底板部において前記固定柱を配置する箇所には、第二スリットと第二固定穴を備えた柱固定部が形成され、
前記固定柱の下部には、前記柱固定部の上側に重合される重合板が設けられ、
前記重合板には、
前記重合板から下方に突出し、前記第二スリットに上方から差し込まれる柱側差込片と、
前記重合板に設けられ、前記第二固定穴と相対し、且つネジ止め固定される柱側固定穴と
が設けられたこと
を特徴とする請求項１から３の何れかに記載のコンロ。
【請求項５】
前記固定柱は、左右方向に面を向けて配置される板状に形成され、
前記重合板は、前記固定柱の前記下部を側方に屈曲して形成され、
前記柱側差込片は、前記重合板を下方に切り起して形成されたこと
を特徴とする請求項４に記載のコンロ。
【発明の詳細な説明】
【技術分野】
【０００１】
本発明は、コンロに関する。
【背景技術】
【０００２】
筐体の前面に樹脂製のフロントパネルが固定され、さらにそのフロントパネルの表側に化粧パネルを組み付けたコンロが知られている（例えば、特許文献１参照）。この種のコンロにおいては、例えば、筐体の左側板及び右側板の前端部に、前方向に開口するネジ穴付きの固定部が設けられる。フロントパネルを筐体の前面に固定する際、フロントパネルを筐体の前面に仮組みした状態で、筐体側の固定部のネジ穴と、フロントパネル側のネジ穴とを前後方向に重合させ、ネジで固定する。
【先行技術文献】
【特許文献】
【０００３】
【特許文献１】特開２０１１−５２８４０号公報
【発明の概要】
【発明が解決しようとする課題】
【０００４】
しかしながら、コンロの軽量化の為、筐体の板厚は薄く設定されていることが多いことから、曲げ加工等により、筐体の左側板及び右側板の前端部に固定部を形成することができない。このため、固定部を備えるパネル固定部材を筐体に固定する必要があるが、筐体の左側板及び右側板に対して、横方向からのネジ止めが必要となる。その場合、筐体を動かしたり、ネジ止めの際にパネル固定部材を押さえたりする必要があるので、作業性が悪いという問題点があった。
【０００５】
本発明の目的は、パネル固定部材を筐体本体部に容易に組み付けることができるコンロを提供することである。
【課題を解決するための手段】
【０００６】
請求項１のコンロは、筐体の前面にパネル部が固定されるコンロにおいて、前記筐体は、底壁部と、前記底壁部の左右両端部に立設された左壁部及び右壁部とを備える筐体本体部と、前記筐体本体部に固定され、前記パネル部を固定する為のパネル固定部材とを備え、前記パネル固定部材は、前記底壁部の上面に配置される底板部と、前記底板部の左右両端部に立設され、前記パネル部を固定する為の第一固定穴を前記前面に向けて支持する固定部と、後方に向けて突出する舌片部とを備える左板部及び右板部とを備え、前記筐体本体部の前記左壁部及び前記右壁部には、前記舌片部が前方から後方に向けて差し込み可能な第一スリットが設けられたことを特徴とする。
【０００７】
請求項２のコンロの前記筐体本体部の前記左壁部及び前記右壁部には、内側に向けて凹む絞り部が形成され、前記第一スリットは、前記絞り部の前側部に形成されるとよい。
【０００８】
請求項３のコンロの前記舌片部には、前記舌片部が前記第一スリットに差し込まれたときに、前記第一スリットの縁部に係止する係止部が設けられるとよい。
【０００９】
請求項４のコンロの前記筐体は、前記前面側で、且つ前記左壁部及び前記右壁部よりも内側寄りに配置され、前記パネル部を固定する為の固定柱を更に備え、前記パネル固定部材の前記底板部において前記固定柱を配置する箇所には、第二スリットと第二固定穴を備えた柱固定部が形成され、前記固定柱の下部には、前記柱固定部の上側に重合される重合板が設けられ、前記重合板には、前記重合板から下方に突出し、前記第二スリットに上方から差し込まれる柱側差込片と、前記重合板に設けられ、前記第二固定穴と相対し、且つネジ止め固定される柱側固定穴とが設けられるとよい。
【００１０】
請求項５のコンロの前記固定柱は、左右方向に面を向けて配置される板状に形成され、前記重合板は、前記固定柱の前記下部を側方に屈曲して形成され、前記柱側差込片は、前記重合板を下方に切り起して形成されるとよい。
【発明の効果】
【００１１】
請求項１のコンロによれば、パネル固定部材の左板部及び右板部に設けられた舌片部を、第一スリットに対して前方から差し込むことによって、パネル固定部材は、筐体本体部の前側において内側に重なるように配置される。このように、パネル固定部材を前方から差し込むだけで、パネル固定部材を筐体本体部に容易且つ速やかに組み付けることができるので、コンロの生産効率を向上できる。
【００１２】
請求項２のコンロによれば、第一スリットは、絞り部の前側部に形成されているので、第一スリットに差し込まれた舌片部は、絞り部の内側に配置される。これにより、舌片部が筐体本体部の左壁部及び右壁部の外方に突出しない。また、左壁部及び右壁部に絞り部を設けることで、絞り部を設けた部分の剛性を向上できる。なお、絞り部は、左壁部及び右壁部の夫々の前端側に設けるとよい。その場合、左壁部及び右壁部の夫々の前端側部分の剛性を向上できる。
【００１３】
請求項３のコンロによれば、舌片部が第一スリットに差し込まれたときに、舌片部に設けられた係止部が第一スリットの縁部に係止する。これにより、パネル固定部の左板部及び右板部を、筐体本体部の左壁部及び右壁部に固定できる。また、第一スリットから舌片部の抜けを防止できる。
【００１４】
請求項４のコンロによれば、筐体本体部の中央側でパネル部を固定する為の固定柱を、パネル固定部材の底面部の上面に起立した状態で仮組みできる。これにより、起立した姿勢を保つ為に、固定柱をわざわざ手で押さえる必要がないので、作業性を向上できる。
【００１５】
請求項５のコンロによれば、固定柱の下部に、重合板と柱側差込片を一体形成できる。
【図面の簡単な説明】
【００１６】
【図１】コンロ１の斜視図である。
【図２】筐体２、右パネルユニット３１、左パネルユニット３２の分解斜視図である。
【図３】筐体２の右側面図である。
【図４】筐体２の分解斜視図である。
【図５】図４に示すＷ１領域の部分拡大図である。
【図６】筐体本体部２０の正面図である。
【図７】筐体本体部２０に対してパネル固定部材４０を前方から組み付けるときの状態を示す図である。
【図８】筐体本体部２０に対してパネル固定部材４０を取り付けた状態を示す斜視図である。
【発明を実施するための形態】
【００１７】
以下、本発明の実施形態を説明する。以下に記載される装置の構造などは、特定的な記載がない限り、それのみに限定する趣旨ではなく、単なる説明例である。図面は、本発明が採用しうる技術的特徴を説明する為に用いられるものである。以下説明は、図中に矢印で示す左右、前後、上下を使用する。
【００１８】
図１を参照し、コンロ１の外観構造を説明する。コンロ１はビルトインコンロである。コンロ１は、略直方体状の筐体２を備える。筐体２の開口する上部には、天板３が固定される。天板３の右手前には右バーナ５、左手前には左バーナ６、中央奥側には奥バーナ７が設けられる。天板３の後端側中央には、グリル用の排気口９が設けられる。筐体２の前面の中央には、グリル扉１０が手前に引き出し可能に設けられる。グリル扉１０は、筐体２内に設置されるグリル庫の開口（図示略）を開閉する。グリル扉１０の右隣には、右パネルユニット３１、左隣には、左パネルユニット３２が設けられる。
【００１９】
右パネルユニット３１の高さ方向の略中央部には、右から順に、点火ボタン１１、１２が横並びに設けられる。点火ボタン１１は、右バーナ５の点火／消火を行い、点火ボタン１２は、グリル庫内のグリルバーナの点火／消火を行う。点火ボタン１１、１２の上側には、化粧板３１５が設けられ、下側には、前面パネル３１６が設けられる。前面パネル３１６を後方に押し込むと、操作部３１２（図２参照）が前方に引き出される。操作部３１２は、例えば、コンロ１のタイマ設定、モード設定等を行う。左パネルユニット３２の高さ方向の略中央部には、右から順に、点火ボタン１３、１４が横並びに設けられる。点火ボタン１３は、奥バーナ７の点火／消火を行い、点火ボタン１４は左バーナ６の点火／消火を行う。点火ボタン１３、１４の上側には、化粧板３２５が設けられ、下側には、電池ケース３２２（図２参照）のカバー３２６が設けられる。電池ケース３２２は、乾電池（図示略）を収納可能である。
【００２０】
図２を参照し、右パネルユニット３１及び左パネルユニット３２の構造を説明する。右パネルユニット３１は、パネル部３１１、点火ボタン１１、１２、操作部３１２、化粧板３１５、前面パネル３１６等を備える。パネル部３１１は樹脂製であり、正面視略矩形板状に形成される。点火ボタン１１、１２は、パネル部３１１の高さ方向中央部において、横並びに押し込み可能に設けられる。パネル部３１１の右上角部には、固定穴３１Ａが設けられ、その下方で且つ点火ボタン１１の右斜め上方には、固定穴３１Ｂが設けられる。パネル部３１１の左上角部には、固定穴３１Ｃが設けられ、その下方で且つ点火ボタン１２の左斜め上方には、固定穴３１Ｄが設けられる。これら固定穴３１Ａ〜３１Ｄは、パネル部３１１を前後方向に貫通する。固定穴３１Ａ〜３１Ｄは、パネル部３１１の前面に、右パネルユニット３１を固定する為に用いられる。操作部３１２は、点火ボタン１１、１２の下方に設けられた開口部の内側に収納され、手前方向に引き出し可能に設けられる。化粧板３１５は、パネル部３１１の前面における上側領域に装着される。前面パネル３１６は、操作部３１２の前部に固定される。
【００２１】
左パネルユニット３２も、右パネルユニット３１と同様に、パネル部３２１、点火ボタン１３、１４、電池ケース３２２、化粧板３２５、カバー３２６等を備える。パネル部３２１の左上角部には、固定穴３２Ａが設けられ、その下方で且つ点火ボタン１４の左斜め上方には、固定穴３２Ｂが設けられる。パネル部３２１の右上角部には、固定穴３２Ｃが設けられ、その下方で且つ点火ボタン１３の右斜め上方には、固定穴３２Ｄが設けられる。これら固定穴３２Ａ〜３２Ｄも、パネル部３２１を前後方向に貫通する。固定穴３２Ａ〜３２Ｄは、パネル部３２１の前面に、左パネルユニット３２を固定する為に用いられる。電池ケース３２２は、点火ボタン１３、１４の下方に設けられる。化粧板３２５は、パネル部３２１の前面における上側領域に装着される。カバー３２６は、電池ケース３２２の前側の開口を塞ぐようにして取り付けられる。
【００２２】
図４を参照し、筐体２の構造を説明する。筐体２は、筐体本体部２０、背壁部２４、上梁部２５、パネル固定部材４０、右固定柱７０、左固定柱８０等を備える。
【００２３】
筐体本体部２０は正面視略Ｕ字状に形成され、例えば板金を折り曲げることによって形成される。筐体本体部２０は、右壁部２１、左壁部２２、底壁部２３を備える。右壁部２１は、右側面視略矩形状に形成され、その前端部の下側部分には、側面視略矩形状に前方に突出する前方突出部２１１が設けられる。右壁部２１の上端部には、外方（右方）に折り曲げられた受け部２１２が設けられる。前方突出部２１１の後側で且つ上部には、絞り部２１４が設けられる。絞り部２１４は、筐体本体部２０の内側に向けて凹み、例えば、絞り加工（プレス加工）で形成される。絞り部２１４は、前方突出部２１１の剛性を向上する。絞り部２１４は、後方に向かうに従って高さ方向の幅が狭くなる右側面視略台形状に形成される。絞り部２１４の外面側の後端部には、右壁部２１の外面より内側に低くなった段部２１７が形成される。絞り部２１４の前端部は、右側面視上下方向に延びる直線状に形成される。絞り部２１４の前端部には、前後方向に貫通するスリット２１５（図６参照）が設けられる。スリット２１５は正面視上下方向に長く、且つ左右方向に短い幅を有する。
【００２４】
左壁部２２は、右壁部２１と左右対称形状であり、左側面視略矩形状に形成される。左壁部２２の前端部の下側部分には、側面視略矩形状に前方に突出する前方突出部２２１が設けられる。左壁部２２の上端部には、外方（左方）に折り曲げられた受け部２２２が設けられる。図４に示すように、前方突出部２２１の後側で且つ上部には、絞り部２２４が設けられる。絞り部２２４は、前方突出部２２１の剛性を向上する。絞り部２２４の外面側の後端部には、左壁部２２の外面より内側に低くなった段部２２７が形成される。絞り部２２４は、絞り部２１４と同様に形成され、その前端部には、前後方向に貫通するスリット２２５が設けられる。
【００２５】
底壁部２３は、右壁部２１の下端部と左壁部２２の下端部の間に設けられ、平面視略矩形状に形成される。底壁部２３の前端側には、固定穴２３１、２３２が左右方向に離間して設けられる。固定穴２３１、２３２は、後述するパネル固定部材４０を介して、右固定柱７０の下端部と、左固定柱８０の下端部とを夫々固定する為の穴である。
【００２６】
背壁部２４は、筐体本体部２０の開口する背面側であって、右壁部２１の後端部と左壁部２２の後端部の間に固定される。背壁部２４は、底壁部２３の後端部から後方に向かうにつれて上り傾斜する。背壁部２４の上端部には、外方（後方）に折り曲げられた受け部２４２が設けられる。
【００２７】
上梁部２５は、右壁部２１の前方突出部２１１の上端部と、左壁部２２の前方突出部２２１の上端部との間に略水平に掛け渡して固定される。上梁部２５は、前板部２５１、受け部２５２、水平板部２５３を備える。前板部２５１は、正面視左右方向に延びる略矩形板状に形成される。受け部２５２は、前板部２５１の上端部に設けられ、外方（前方）に折り曲げて形成される。水平板部２５３は、前板部２５１の下端部から前方に向けて略水平に突出し、平面視左右方向に延びる略矩形板状に形成される。水平板部２５３の右端部には、固定穴２６が設けられる。固定穴２６よりも左側であって、グリル庫に対応する中央部分よりも右側部分には、一対の固定穴２８Ａ、２８Ｂが設けられる。一方、水平板部２５３の左端部にも、固定穴２７が設けられる。固定穴２７よりも右側であって、グリル庫に対応する中央部分よりも左側部分には、一対の固定穴２９Ａ、２９Ｂが設けられる。
【００２８】
右壁部２１の受け部２１２、左壁部２２の受け部２２２、背壁部２４の受け部２４２、上梁部２５の受け部２５２は、筐体２の上部に鍔部２００を形成する。鍔部２００は上方向に突出する略四角筒状に形成され、その上端部は外方に向けて鍔状に張り出して形成される。鍔部２００は、図示しないキッチンのキャビネット上面の開口の周縁上面に上方から係止する。これにより、筐体２がキャビネット内に支持される。鍔部２００の上部には、天板３の縁部がネジ止め固定される。このようにして、筐体２の上部に天板３が固定される。
【００２９】
図４〜図６を参照し、パネル固定部材４０の構造を説明する。パネル固定部材４０は、右パネルユニット３１及び左パネルユニット３２を筐体本体部２０の前面に固定する為の部材である。パネル固定部材４０は、正面視略Ｕ字状に形成され、例えば板金を折り曲げることによって形成される。パネル固定部材４０は、底板部４１、右板部４２、左板部４３を備える。
【００３０】
底板部４１は、平面視左右方向に延びる板状に形成され、筐体本体部２０の底壁部２３の上面の前側部分に重合して設置される。底板部４１は、中央部４１１、右側部４１２、左側部４１３を備える。中央部４１１は、底板部４１の中間部であって、グリル庫の底部の前側が設置される部位である。右側部４１２は、底板部４１の右側部であって、右パネルユニット３１が設置される部位である。右側部４１２は平面視略矩形状に形成され、中央部４１１の右端部と連結し、中央部４１１の前後方向の幅よりも広い幅を有する。左側部４１３は、底板部４１の左側部であって、左パネルユニット３２が設置される部位である。左側部４１３は、右側部４１２と左右対称形状であって、中央部４１１の左端部と連結し、中央部４１１の前後方向の幅よりも広い幅を有する。中央部４１１の上面は、プレス加工により、右側部４１２及び左側部４１３の上面よりも高くなるように形成される。
【００３１】
中央部４１１と右側部４１２は連結部４１５において連結する。連結部４１５の上面は、中央部４１１の上面と同一高さである。連結部４１５の上面には、スリット４６Ａ、固定穴４５、スリット４６Ｂが前後方向に並んで設けられる。スリット４６Ａは連結部４１５の後部に設けられ、スリット４６Ｂは連結部４１５の前部に設けられる。スリット４６Ａ、４６Ｂは上下方向に貫通し、且つ平面視左右方向に長い略矩形状の細穴である。固定穴４５は、スリット４６Ａと４６Ｂの間に設けられる。固定穴４５は上下方向に貫通する平面視円形状の穴である。一方、中央部４１１と左側部４１３は連結部４１６において連結する。連結部４１６は、連結部４１５と左右対称形状であるので、連結部４１６の上面には、連結部４１５と同様に、スリット４８Ａ、固定穴４７、スリット４８Ｂが前後方向に並んで設けられる。
【００３２】
右板部４２は、底板部４１の右端部に略直角に立設され、右側面視後方に向けて開口する略コの字型に形成される。右板部４２は、前側固定部５１、上側固定部５２、舌片部５３、絞り部４２１を備える。前側固定部５１は、右板部４２の前端部の上側部分から左方に板状に突出して設けられ、その上部には固定穴５１１、下部には固定穴５１２を備える。固定穴５１１、５１２は、前側固定部５１を前後方向に貫通する。上側固定部５２は、右板部４２の上端部から左方に板状に突出して設けられる。上側固定部５２の前端部は、前側固定部５１の上端部と連結する。上側固定部５２の前端部近傍には、固定穴５２１が設けられる。固定穴５２１は上側固定部５２を上下方向に貫通する。
【００３３】
舌片部５３は、右板部４２の後端部のうち前方に凹んだ部分の上部に設けられる。舌片部５３は、右板部４２の後端部から後方に向けて板状に突出し、その後方に突出する先端部の上下の両角部は、テーパ状に形成される。よって、舌片部５３の先端部は後方に向けて先細り状に形成される。舌片部５３の略中央部には、右側面視前方に向かって開口する略コの字状に切断した切断部５４が設けられる。その切断部５４の内側には、略矩形状の板バネ部５５が設けられる。板バネ部５５は、前端部を基点に後端側を左右方向に撓ませることができる。
【００３４】
板バネ部５５の外面（右面）の先端部には、外方（右方）に向けて突出する係止部５６が設けられる。係止部５６は、例えばプレス加工で形成するとよい。さらに、舌片部５３の内面（左面）において、板バネ部５５を上下方向から挟み込む位置には、内方に向けて突出する一対の凸部５７が設けられる。一対の凸部５７は、例えばプレス加工で形成するとよい。舌片部５３において、一対の凸部５７と係止部５６は、前後方向において略同一位置に夫々配置される。絞り部４２１は、内側に向けて凹んだ部分であって、右板部４２の上端部と前端部に沿うようにして右側面視略逆Ｌ字状に形成される。絞り部４２１は、プレス加工で形成するとよい。絞り部４２１は、右板部４２の剛性、特に舌片部５３周囲の剛性を向上できる。
【００３５】
左板部４３は、底板部４１の左端部に略直角に立設され、左側面視後方に向けて開口する略コの字型に形成され、右板部４２と左右対称形状である。左板部４３も、右板部４２と同様に、前側固定部６１、上側固定部６２、舌片部６３、絞り部４３１を備える。前側固定部６１は、その上部に固定穴６１１、下部に固定穴６１２を備える。上側固定部６２の前端部近傍には、固定穴６２１が設けられる。舌片部６３にも切断部６４が設けられ、その内側には、板バネ部６５が形成される。
【００３６】
板バネ部６５の外面（左面）の先端部には、外方（左方）に向けて突出する係止部６６が設けられる。舌片部６３の内面（右面）において、板バネ部６５を上下方向から挟み込む位置には、内方に向けて突出する一対の凸部６７が設けられる。舌片部６３において、一対の凸部６７と係止部６６は、前後方向において略同一位置に夫々配置される。絞り部４３１は、内側に向けて凹んだ部分であって、左板部４３の上端部と前端部に沿うようにして左側面視略逆Ｌ字状に形成される。絞り部４３１は、左板部４３の前方突出部２２１の剛性、特に舌片部６３周囲の剛性を向上できる。
【００３７】
図４を参照し、右固定柱７０と左固定柱８０の形状を説明する。なお、右固定柱７０と左固定柱８０は左右対称形状であるので、右固定柱７０の構造を具体的に説明し、左固定柱８０の構造については簡単に説明する。右固定柱７０及び左固定柱８０は、パネル固定部材４０と共に、右パネルユニット３１及び左パネルユニット３２を、筐体２の前面に固定する為の部材であり、板金を屈曲することで形成される。
【００３８】
右固定柱７０は、側面視上下方向に長い板状に形成され、左右方向に両面を向けた状態で連結部４１５上に配置される。右固定柱７０は、上側固定部７１、前側固定部７２、下側固定部７３を備える。上側固定部７１は、右固定柱７０の上端部から右方に突出して設けられ、平面視略矩形板状に形成される。上側固定部７１の左端部近傍には固定穴７１１が設けられ、右端部近傍には固定穴７１２が設けられる。前側固定部７２は、右固定柱７０の前端部のうち上半分の部分から左方に板状に突出して設けられる。前側固定部７２の上部には固定穴７２１が設けられ、下部には固定穴７２２が設けられる。固定穴７２１、７２２は、前側固定部７２を前後方向に貫通する。
【００３９】
下側固定部７３は、右固定柱７０の下端部から右方に屈曲して設けられ、平面視略矩形板状に形成される。下側固定部７３には、差込片７６Ａ、固定穴７４、開口７５、差込片７６Ｂが設けられる。差込片７６Ａは、下側固定部７３の後端部から下方に突出して設けられる。固定穴７４は、下側固定部７３の後端部であって、差込片７６Ａ近傍に設けられる。固定穴７４は、下側固定部７３を上下方向に貫通する平面視円形状である。開口７５は、固定穴７４よりも前方に設けられ、平面視略矩形状に形成される。差込片７６Ｂは、開口７５の後縁部から下方に突出して設けられ、下側固定部７３を下方に切り起こすことによって形成される。このように、本実施形態では、右固定柱７０の下部に、下側固定部７３、差込片７６Ａ、７６Ｂを一体形成できる。下側固定部７３の差込片７６Ａ、固定穴７４、差込片７６Ｂの夫々の位置は、パネル固定部材４０の連結部４１５のスリット４６Ａ、固定穴４５、スリット４６Ｂの夫々の位置に対応する。
【００４０】
左固定柱８０は、右固定柱７０と左右対称形状であり、左右方向に両面を向けた状態で連結部４１６上に配置される。左固定柱８０も、右固定柱７０と同様に、上側固定部８１、前側固定部８２、下側固定部８３を備える。上側固定部８１には、固定穴７１１、７１２が設けられる。前側固定部８２の上部には固定穴８２１が設けられ、下部には固定穴８２２が設けられる。下側固定部８３には、図示しない二つの差込片、固定穴、開口が設けられる。二つの差込片、固定穴の夫々の位置は、連結部４１６のスリット４８Ａ、４８Ｂ、固定穴４７の夫々の位置に対応する。
【００４１】
図７、図８を参照し、筐体本体部２０へのパネル固定部材４０の組み付け方法の一例を説明する。図７に示すように、作業者は、先ず、パネル固定部材４０の前面に対し、右板部４２及び左板部４３の舌片部５３、６３の各先端部を前方から向けた状態で、パネル固定部材４０を配置する。次いで、右板部４２の舌片部５３を、筐体本体部２０の右壁部２１に設けられたスリット２１５に差し込むと共に、左板部４３の舌片部６３を、左壁部２２に設けられたスリット２２５に差し込む。作業者は、パネル固定部材４０を、筐体本体部２０の前縁部側から内側に滑り込ませ、後方に移動させる。これにより、パネル固定部材４０は、筐体本体部２０の前縁部の内側に重なるように配置される。
【００４２】
ここで、舌片部５３、６３の夫々の先端側の両角部はテーパ状になっているので、仮にスリット２１５、２２５に対して、高さ方向の位置がずれた状態で舌片部５３、６３を差し込んだ場合、スリット２１５、２２５の上縁部又は下縁部に対して、舌片部５３、６３の先端部のテーパ部分が摺動する。これにより、舌片部５３、６３は、スリット２１５、２２５の位置に合うように高さ方向の位置が補正される。
【００４３】
そして、筐体本体部２０の右壁部２１において、舌片部５３がスリット２１５に差し込まれると、舌片部５３の内面に設けられた一対の凸部５７は、絞り部２１４の外面（右面）に接触する。一方、板バネ部５５の外面の先端側に設けられた係止部５６は、右壁部２１の内面に接触する。これにより、板バネ部５５の先端側は、前端部を基点に右壁部２１の内面から離間する方向に撓む。
【００４４】
さらに、舌片部５３をスリット２１５の奥側に向けて更に差し込むと、舌片部５３の先端部は、絞り部２１４の段部２１７に当接するので、舌片部５３は停止する。舌片部５３が停止する位置は、舌片部５３がスリット２１５に対する差し込みが完了する差込完了位置である。このとき、板バネ部５５の係止部５６は、スリット２１５に到達するので、板バネ部５５は弾性復帰力によって元の形状に戻り、係止部５６はスリット２１５の縁部２１６に係止する。これにより、舌片部５３の前後方向の位置が決まると共に、スリット２１５から舌片部５３が前方に抜けるのを防止できる。また、一対の凸部５７は、絞り部２１４の外面と接触した状態であるので、舌片部５３は外方（右方）に押され、右板部４２は、筐体本体部２０の右壁部２１の内面に押し当てられる。よって、スリット２１５内における舌片部５３の左右方向の位置も決まるので、スリット２１５に対して位置ずれを起こすことなく、舌片部５３を固定できる。
【００４５】
なお、詳述しないが、図８に示すように、筐体本体部２０の左壁部２２においても、右壁部２１側と同様に、スリット２２５に対して、左板部４３の舌片部６３が差し込まれる。そして、舌片部６３の先端部は、絞り部２２４の段部２２７に当接すると、舌片部６３は停止する。舌片部６３が停止する位置は、舌片部６３がスリット２２５に対する差し込みが完了する差込完了位置である。このとき、板バネ部６５の係止部６６は、スリット２２５の縁部（図示略）に係止する。これにより、スリット２２５に対して位置ずれを起こすことなく、左板部４３の舌片部６３を固定できる。このように、筐体本体部２０に対して、パネル固定部材４０を前側から差し込むだけで、筐体本体部２０に対してパネル固定部材４０を簡単且つ速やかに組み付けることができる。
【００４６】
そして、筐体本体部２０に対してパネル固定部材４０が組み付けられた状態では、筐体本体部２０の底壁部２３の前端側に設けられた一対の固定穴２３１、２３２（図４参照）に対し、パネル固定部材４０の連結部４１５、４１６に設けられた固定穴４５、４７が上方から重合して位置決めされる。
【００４７】
本実施形態においては、スリット２１５、２２５は、絞り部２１４、２２４の前側部に形成されるので、スリット２１５、２２５に差し込まれた舌片部５３、６３は、絞り部２１４、２２４の内側に配置される。これにより、舌片部５３、６３は、右壁部２１及び左壁部２２の外方に突出しないので、筐体２をコンパクトにできる。また、舌片部５３、６３が外方に突出しないので、舌片部５３、６３に対して外側からキャビネット内の他部材や、運搬等の際に手指等が引っかかるのを防止できる。
【００４８】
図２、図４、図５、図８を参照し、筐体本体部２０への右固定柱７０、左固定柱８０、上梁部２５の固定方法の一例を説明する。上述のように、筐体本体部２０の内側にパネル固定部材４０を組み付けた状態（図８参照）で、作業者は、パネル固定部材４０の底板部４１に設けられた右側の連結部４１５の上面に対して、右固定柱７０の下側固定部７３の下面を重合して配置する（図４、図５参照）。このとき、前側固定部７２を前方に向けた状態で、下側固定部７３の差込片７６Ａ、７６Ｂを、連結部４１５のスリット４６Ａ、４６Ｂに差し込み、下側固定部７３の固定穴７４を、連結部４１５の固定穴４５に位置決めする。これにより、筐体本体部２０の底壁部２３の上面に対し、右固定柱７０を起立した状態で仮組みできる（図２参照）。
【００４９】
次いで、作業者は、下側固定部７３の固定穴７４に対し、ネジ（図示略）を上方から挿入し、連結部４１５の固定穴４５を介して、筐体本体部２０の固定穴２３１（図４参照）に締結する。これにより、筐体本体部２０の底壁部２３の上面に対し、パネル固定部材４０の連結部４１５を介して、右固定柱７０を起立した状態で容易に固定できる。
【００５０】
また、パネル固定部材４０の底板部４１に設けられた左側の連結部４１６の上面に対しても同様に、左固定柱８０の下側固定部（図示略）を重合して配置する（図４参照）。このとき、前側固定部８２を前側に向けた状態で、下側固定部８３に設けられた二つの差込片を、連結部４１６に設けられたスリット４６Ａ、４６Ｂに差し込み、下側固定部８３（図４参照）に設けられた固定穴を、連結部４１６に設けられた固定穴４７に位置決めする。これにより、筐体本体部２０の底壁部２３の上面に対し、左固定柱８０を起立した状態で仮組みできる。
【００５１】
次いで、作業者は、左固定柱８０の下側固定部８３の固定穴に対し、ネジ（図示略）を上方から挿入し、連結部４１６の固定穴４７を介して、筐体本体部２０の固定穴２３３に締結する。これにより、筐体本体部２０の底壁部２３の上面に対し、パネル固定部材４０の連結部４１６を介して、左固定柱８０を起立した状態で容易に固定できる。
【００５２】
次いで、図２に示すように、作業者は、上梁部２５を、筐体本体部２０の右壁部２１の前方突出部２１１の上端部と、左壁部２２の前方突出部２２１の上端部との間に略水平に掛け渡して固定する。このとき、上梁部２５の水平板部２５３の右端側に設けられた固定穴２６は、パネル固定部材４０の右板部４２の上側固定部５２に設けられた固定穴５２１（図４参照）上に配置される。さらに、水平板部２５３の右側に設けられた一対の固定穴２８Ａ、２８Ｂ（図２参照）は、右固定柱７０の上側固定部７１に設けられた固定穴７１１、７１２（図４参照）上に配置される。そして、上梁部２５の水平板部２５３の固定穴２６、２８Ａ、２８Ｂに対して上方からネジを挿入し、固定穴５２１、７１１、７１２に夫々締結する。
【００５３】
また、上梁部２５の水平板部２５３の左端側に設けられた固定穴２７は、パネル固定部材４０の左板部４３の上側固定部６２に設けられた固定穴６２１（図４参照）上に配置される。さらに、水平板部２５３の左側に設けられた一対の固定穴２９Ａ、２９Ｂ（図２参照）は、左固定柱８０の上側固定部８１に設けられた固定穴８１１、８１２（図４参照）上に配置される。そして、上梁部２５の水平板部２５３の固定穴２７、２９Ａ、２９Ｂに対して上方からネジを挿入し、固定穴６２１、６１１、６１２に夫々締結する。このようにして、筐体本体部２０に対して、右固定柱７０、左固定柱８０、上梁部２５が固定される。
【００５４】
図２に示すように、筐体２の前面は、右壁部２１の前方突出部２１１、左壁部２２の前方突出部２２１、上梁部２５の水平板部２５３により、前方に突出する筒状に形成され、その内側は、右固定柱７０と左固定柱８０により、中央領域部１０１、右領域部１０２、左領域部１０３に夫々区画される。中央領域部１０１には、グリル庫（図示略）の前側部が配置される。右領域部１０２には、右パネルユニット３１が前方から挿入して配置される。左領域部１０３には、左パネルユニット３２が前方から挿入して配置される。
【００５５】
右領域部１０２において、右壁部２１の前側固定部５１に設けられた固定穴５１１、５１２と、パネル固定部材４０の前側固定部７２に設けられた固定穴７２１、７２２とが前方に向けて配置される。右パネルユニット３１のパネル部３１１に設けられた固定穴３１Ａ、３１Ｂは、固定穴５１１、５１２と対向し、固定穴３１Ｃ、３１Ｄは、固定穴７２１、７２２と対向する。作業者は、固定穴５１１、５１２、７２１、７２２に対し、前方向からネジを挿入し、固定穴３１Ａ〜３１Ｄに締結することによって、右パネルユニット３１が筐体２に固定される。
【００５６】
左領域部１０３においても同様に、左壁部２２の前側固定部６１に設けられた固定穴６１１、６１２と、パネル固定部材４０の前側固定部８２に設けられた固定穴８２１、８２２とが前方に向けて配置される。左パネルユニット３２のパネル部３２１に設けられた固定穴３２Ａ、３２Ｂは、固定穴６１１、６１２と対向し、固定穴３２Ｃ、３２Ｄは、固定穴８２１、８２２と対向する。作業者は、固定穴６１１、６１２、８２１、８２２に対し、前方向からネジを挿入し、固定穴３２Ａ〜３２Ｄに締結することによって、左パネルユニット３２が筐体２に固定される。
【００５７】
そして、上梁部２５の上面に対して、上カバー３３（図１参照）を配置する。上カバー３３には、左右に離間する位置に二つの固定穴（図示略）が設けられ、上梁部２５の水平板部２５３の固定穴２８Ｂ、２９Ｂと重合する。上カバー３３の二つの固定穴の夫々に対し、上方からネジ９１を挿入し、固定穴２８Ｂ、２９Ｂに締結することによって、上カバー３３が固定される。
【００５８】
このように、本実施形態においては、筐体本体部２０へのパネル固定部材４０の組み付け作業、及び筐体２への右パネルユニット３１と左パネルユニット３２の固定作業について、何れも筐体本体部２０又は筐体２の前方から行うことができる。これにより、作業途中で筐体２を動かしたり、ネジ止めの際、パネル固定部材４０を手で押さえたりする必要もない。よって、コンロ１は、コンロ１の組立作業における作業性を向上できる。
【００５９】
上記説明において、右パネルユニット３１及び左パネルユニット３２は、本発明の「パネル部」の一例である。パネル固定部材４０の前側固定部５１、６１は、本発明の「固定部」の一例である。筐体本体部２０の右壁部２１及び左壁部２２に設けられたスリット２１５、２２５は、本発明の「第一スリット」の一例である。右固定柱７０の下側固定部７３と、左固定柱８０の下側固定部（図示略）は、本発明の「重合板」の一例である。下側固定部７３に設けられた差込片７６Ａ、７６Ｂは本発明の「柱側差込片」の一例である。下側固定部７３に設けられた固定穴７４は本発明の「柱側固定穴」の一例である。右固定柱７０と左固定柱８０は、本発明の「固定柱」の一例である。パネル固定部材４０の連結部４１５、４１６は本発明の「柱固定部」の一例である。連結部４１５、４１６に設けられた固定穴４５、４７は本発明の「第二固定穴」の一例である。連結部４１５、４１６に設けられたスリット４６Ａ、４６Ｂ、４８Ａ、４８Ｂは本発明の「第二スリット」の一例である。
【００６０】
以上説明したように、本実施形態のコンロ１は、筐体２の前面に、右パネルユニット３１及び左パネルユニット３２が固定される。筐体２は、筐体本体部２０とパネル固定部材４０を備える。筐体本体部２０は、右壁部２１、左壁部２２、底壁部２３を備える。パネル固定部材４０は、底板部４１、右板部４２、左板部４３を備える。底板部４１は、筐体本体部２０の底壁部２３の上面に配置される。右板部４２は、前側固定部５１と舌片部５３を備える。前側固定部５１は、固定穴５１１と５１２を前面に支持する。舌片部５３は後方に向けて突出する。左板部４３は、前側固定部６１と舌片部６３を備える。前側固定部６１は、固定穴６１１と６１２を前面に支持する。舌片部６３は後方に向けて突出する。筐体本体部２０の左壁部２２及び右壁部２１には、舌片部５３、６３が前方から後方に向けて差し込み可能なスリット２１５、２２５が設けられる。
【００６１】
作業者は、パネル固定部材４０の右板部４２及び左板部４３に設けられた舌片部５３、６３を、スリット２１５、２２５に対して前方から差し込むことによって、パネル固定部材４０は、筐体本体部２０の前側において内側に重なるように配置される。このように、パネル固定部材４０を前方から差し入れるだけで、パネル固定部材４０を筐体本体部２０に容易に組み付けることができるので、コンロ１の生産効率を向上できる。
【００６２】
なお、本発明は上記実施形態に限定されるものではなく、種々の変更が可能である。コンロ１はビルトインコンロであるが、本発明はテーブルコンロにも適用可能である。
【００６３】
パネル固定部材４０の前側固定部５１には、上下二つの固定穴５１１、５１２が設けられるが、固定穴の数は二つに限定されず、右パネルユニット３１のパネル部３１１に設けられる対応する固定穴の数に対応させればよい。なお、前側固定部６１においても同様である。また、右固定柱７０の前側固定部７２にも、上下二つの固定穴７２１、７２２が設けられるが、固定穴の数は二つに限定されず、右パネルユニット３１のパネル部３１１に設けられる対応する固定穴の数に対応させればよい。なお、左固定柱８０においても同様である。
【００６４】
右固定柱７０の下部に設けられた下側固定部７３は、右固定柱７０の下部を右方に屈曲させて形成するが、別体である板材を溶接等して形成してもよい。差込片７６Ｂについても、下側固定部７３を下方に切り起こして形成するが、別体である板材を溶接等して形成してもよい。なお、左固定柱８０においても同様である。また、右固定柱７０及び左固定柱８０は省略してもよい。
【００６５】
右固定柱７０の下側固定部７３には、二つの差込片７６Ａ、７６Ｂが設けられるが、二つに限らず、例えば一つでもよい。なお、左固定柱８０の下側固定部８３においても同様である。
【００６６】
舌片部５３は、板バネ部５５を備え、その板バネ部５５の外面（右面）に係止部５６を備えるが、例えば、板バネ部５５を省略し、舌片部５３の外面（右面）に係止部５６を設けてもよい。係止部５６を省略してもよい。舌片部５３の内面（左面）には、一対の凸部５７を設けるが、凸部５７の数は一対に限らず、一つでも二以上であってもよく、省略してもよい。なお、舌片部６３においても同様である。
【００６７】
右壁部２１において、絞り部２１４は、前方突出部２１１の後側に設けているが、右壁部２１の前側部に位置する前方突出部２１１であれば、どこに設けてもよい。また、前方突出部２１１を備えない右壁部２１においては、絞り部２１４は、右壁部２１の前側部に設けるのがよい。なお、左壁部２２における絞り部２２４においても同様である。
【符号の説明】
【００６８】
１      コンロ
２      筐体
２０      筐体本体部
２１      右壁部
２２      左壁部
２３      底壁部
３１      右パネルユニット
３２      左パネルユニット
４０      パネル固定部材
４１      底板部
４２      右板部
４３      左板部
４５、４７      固定穴
４６Ａ、４６Ｂ、４８Ａ、４８Ｂ      スリット
４８Ｂ  スリット
５１、６１      前側固定部
５３、６３      舌片部
５６、６６      係止部
７０      右固定柱
７３、８３      下側固定部
７４      固定穴
７６Ａ、７６Ｂ      差込片
８０      左固定柱
２１４、２２４      絞り部
２１５、２２５      スリット
２１６      縁部
５１１、５１２、６１１、６１２      固定穴
【図１】
2020085369.tif 000003
【図２】
2020085369.tif 000004
【図３】
2020085369.tif 000005
【図４】
2020085369.tif 000006
【図５】
2020085369.tif 000007
【図６】
2020085369.tif 000008
【図７】
2020085369.tif 000009
【図８】
2020085369.tif 000010